【手続補正書】
【提出日】平成26年9月11日(2014.9.11)
【手続補正１】
【補正対象書類名】特許請求の範囲
【補正対象項目名】全文
【補正方法】変更
【補正の内容】
【特許請求の範囲】
【請求項１】
異種組成物から形成された層を有するゴルフボールにおいて、
異種組成物は、
熱硬化性ポリマー組成物から形成されたマトリックスと、
上記マトリックス中に分散される個別粒子であって、上記個別粒子はショアＤ硬度が６５以上の架橋ゴム組成物から形成される上記個別粒子とを有することを特徴とするゴルフボール。
【請求項２】
異種組成物から形成された層を有するゴルフボールにおいて、
異種組成物は、
熱硬化性ポリマー組成物から形成されたマトリックスと、
上記マトリックス中に分散される個別粒子であって、上記個別粒子はショアＣ硬度が４０以下の架橋ゴム組成物から形成される上記個別粒子とを有することを特徴とするゴルフボール。
【請求項３】
異種組成物から形成された層を有するゴルフボールにおいて、
異種組成物は、
熱硬化性ポリマー組成物から形成されたマトリックスと、
上記マトリックス中に分散される個別粒子であって、上記個別粒子は、過酸化物開始剤、および５０ｐｈｒ以上のコエージェントを有する架橋ゴム組成物から形成される上記個別粒子とを有することを特徴とするゴルフボール。
【請求項４】
異種組成物から形成された層を有するゴルフボールにおいて、
異種組成物は、
熱硬化性ポリマー組成物から形成されたマトリックスと、
上記マトリックス中に分散される個別粒子であって、上記個別粒子は、硫黄硬化ジエンゴム組成物から形成される上記個別粒子とを有することを特徴とするゴルフボール。
【請求項５】
異種組成物から形成された層を有するゴルフボールにおいて、
異種組成物は、
熱硬化性ポリマー組成物から形成されたマトリックスと、
上記マトリックス中に分散される個別粒子であって、上記個別粒子は、過酸化物開始剤、および０〜５ｐｈｒのコエージェントを有する架橋ゴム組成物から形成される上記個別粒子とを有することを特徴とするゴルフボール。
【請求項６】
異種組成物から形成された層を有するゴルフボールにおいて、
異種組成物は、
熱硬化性ポリマー組成物から形成されたマトリックスであって、上記熱硬化性ポリマー組成物は、エチレンプロピレンゴム、エチレン−プロピレン−ジエンゴム、スチレン−ブタジエンゴム、ブチルゴム、ハロブチルゴム、アクリロニトリルブタジエンゴム、ポリクロロプレン、アルキルアクリレートゴム、塩化イソプレンゴム、アクリロニトリル塩化イソプレンゴム、ポリアルケナマー、フェノールホルムアルデヒド、メラミンホルムアルデヒド、ポリエポキシド、ポリイミド、ポリシロキサン、アルキド、ポリイソシアヌレート、ポリシアヌレート、ポリアクリレート、およびこれらの２またはそれ以上の組み合わせからなるグループから選択されるベースゴムを有する上記マトリックスと、
上記マトリックス中に分散される架橋ゴムの個別粒子とを有することを特徴とするゴルフボール。
【手続補正２】
【補正対象書類名】明細書
【補正対象項目名】００７１
【補正方法】変更
【補正の内容】
【００７１】
この発明の事例的な実施例が具体的に説明されたが、この発明の趣旨および範囲を逸脱することなく、種々の他の変形例が当業者に明らかであり、また当業者が容易になすことができることが理解される。したがって、添付の特許請求の範囲のスコープが上述した例や記載に限定されず、むしろ、特許請求の範囲は、この発明中に内在する特許性のある新規な特徴のすべてを包括するように構成されていることが意図されており、これは当業者が均等として扱うすべての特徴を含む。
以下、ここで説明された技術的な特徴を列挙する。
［技術的特徴１］
異種組成物から形成された層を有するゴルフボールにおいて、
異種組成物は、
熱硬化性ポリマー組成物から形成されたマトリックスと、
上記マトリックス中に分散される個別粒子であって、上記個別粒子はショアＤ硬度が６５以上の架橋ゴム組成物から形成される上記個別粒子とを有することを特徴とするゴルフボール。
［技術的特徴２］
異種組成物から形成された層を有するゴルフボールにおいて、
異種組成物は、
熱硬化性ポリマー組成物から形成されたマトリックスと、
上記マトリックス中に分散される個別粒子であって、上記個別粒子はショアＣ硬度が４０以下の架橋ゴム組成物から形成される上記個別粒子とを有することを特徴とするゴルフボール。
［技術的特徴３］
異種組成物から形成された層を有するゴルフボールにおいて、
異種組成物は、
熱硬化性ポリマー組成物から形成されたマトリックスと、
上記マトリックス中に分散される個別粒子であって、上記個別粒子は、過酸化物開始剤、および５０ｐｈｒ以上のコエージェントを有する架橋ゴム組成物から形成される上記個別粒子とを有することを特徴とするゴルフボール。
［技術的特徴４］
上記コエージェントは７５ｐｈｒ以上の量だけ上記架橋ゴム組成物中に存在する技術的特徴３記載のゴルフボール。
［技術的特徴５］
上記コエージェントは、不飽和ビニル化合物、多官能性モノマー、マレイミド、およびこれらの２以上の組み合わせから選択される技術的特徴４記載のゴルフボール。
［技術的特徴６］
上記架橋ゴム組成物のショアＤ硬度は６５以上である技術的特徴３記載のゴルフボール。
［技術的特徴７］
上記架橋ゴム組成物のショアＤ硬度は７０以上である技術的特徴３記載のゴルフボール。
［技術的特徴８］
上記架橋ゴム組成物のショアＤ硬度は８０以上である技術的特徴３記載のゴルフボール。
［技術的特徴９］
上記架橋ゴム組成物のショアＤ硬度は９０以上である技術的特徴３記載のゴルフボール。
［技術的特徴１０］
異種組成物から形成された層を有するゴルフボールにおいて、
異種組成物は、
熱硬化性ポリマー組成物から形成されたマトリックスと、
上記マトリックス中に分散される個別粒子であって、上記個別粒子は、硫黄硬化ジエンゴム組成物から形成される上記個別粒子とを有することを特徴とするゴルフボール。
［技術的特徴１１］
上記硫黄硬化ゴム組成物のショアＤ硬度は６５以上である技術的特徴１０記載のゴルフボール。
［技術的特徴１２］
上記硫黄硬化ゴム組成物のショアＤ硬度は７０以上である技術的特徴１０記載のゴルフボール。
［技術的特徴１３］
上記硫黄硬化ゴム組成物のショアＤ硬度は８５以上である技術的特徴１０記載のゴルフボール。
［技術的特徴１４］
異種組成物から形成された層を有するゴルフボールにおいて、
異種組成物は、
熱硬化性ポリマー組成物から形成されたマトリックスと、
上記マトリックス中に分散される個別粒子であって、上記個別粒子は、過酸化物開始剤、および０〜５ｐｈｒのコエージェントを有する架橋ゴム組成物から形成される上記個別粒子とを有することを特徴とするゴルフボール。
［技術的特徴１５］
上記架橋ゴム組成物は実質的にコエージェントを含まない技術的特徴１４記載のゴルフボール。
［技術的特徴１６］
上記過酸化物開始剤は上記架橋ゴム組成物中に１０ｐｈｒ以下の量だけ存在する技術的特徴１４記載のゴルフボール。
［技術的特徴１７］
上記過酸化物開始剤は上記架橋ゴム組成物中に５ｐｈｒ以下の量だけ存在する技術的特徴１４記載のゴルフボール。
［技術的特徴１８］
上記架橋ゴム組成物のショアＣ硬度は４０以下である技術的特徴１４記載のゴルフボール。
［技術的特徴１９］
上記架橋ゴム組成物のショアＣ硬度は２０以下である技術的特徴１４記載のゴルフボール。
［技術的特徴２０］
上記架橋ゴム組成物のショアＡ硬度は５０以下である技術的特徴１４記載のゴルフボール。
［技術的特徴２１］
異種組成物から形成された層を有するゴルフボールにおいて、
異種組成物は、
熱硬化性ポリマー組成物から形成されたマトリックスであって、上記熱硬化性ポリマー組成物は、エチレンプロピレンゴム、エチレン−プロピレン−ジエンゴム、スチレン−ブタジエンゴム、ブチルゴム、ハロブチルゴム、アクリロニトリルブタジエンゴム、ポリクロロプレン、アルキルアクリレートゴム、塩化イソプレンゴム、アクリロニトリル塩化イソプレンゴム、ポリアルケナマー、フェノールホルムアルデヒド、メラミンホルムアルデヒド、ポリエポキシド、ポリイミド、ポリシロキサン、アルキド、ポリイソシアヌレート、ポリシアヌレート、ポリアクリレート、およびこれらの２またはそれ以上の組み合わせからなるグループから選択されるベースゴムを有する上記マトリックスと、
上記マトリックス中に分散される架橋ゴムの個別粒子とを有することを特徴とするゴルフボール。